(57)【要約】【課題】給湯器の差し水機能を適正に発揮させることができる給湯システムを提供する。【解決手段】浴槽への自動お湯張り機能及び差し水機能を有する風呂給湯器３０と、太陽熱利用温水器１０によって生成された予熱温水に必要に応じて低温水を適宜混合しながら設定温度等の温水を風呂給湯器３０に送出する給湯接続ユニット２０とを備え、風呂給湯器３０が差し水モードに設定されると、風呂給湯器３０は浴槽への自動注水を開始すると共に、給湯接続ユニット２０は、予熱温水を混合することなく、風呂給湯器３０への低温水の送出を開始し、浴槽への注水量が、浴槽への自動注水を開始した時点から所定時間経過後に検出される風呂給湯器３０への入水温度に基づいて算出された必要注水量に到達した時点で、風呂給湯器３０が浴槽への自動注水を停止するようになっている。【選択図】        図１
2004293943.tif 000002
【特許請求の範囲】
【請求項１】
浴槽への自動お湯張り機能を有する主熱源としての給湯器と、補助熱源によって生成された予熱温水に、必要に応じて低温水を混合して前記給湯器に送出する、予熱温水と低温水との混合比率を任意に変更可能な給湯接続ユニットとを備え、
前記給湯器は、浴槽に自動注水することによって、浴槽に貯留された温水の温度を所定温度だけ低下させる差し水モードを有しており、
前記給湯器が差し水モードに設定されると、前記給湯器は浴槽への自動注水を開始すると共に、前記給湯接続ユニットは、予熱温水を混合することなく、前記給湯器への低温水の送出を開始し、浴槽への注水量が、前記給湯器が算出した必要注水量に到達した時点で、前記給湯器が浴槽への自動注水を停止するようになっている給湯システムにおいて、
前記給湯器が差し水モードに設定されると、前記給湯器は、自動注水の開始以降に検出される、前記給湯器の入水温度に基づいて、必要注水量を算出するようになっていることを特徴とする給湯システム。
【請求項２】
前記給湯器が差し水モードに設定されると、前記給湯器は、自動注水を開始した時点から所定時間経過後に検出される入水温度に基づいて、必要注水量を算出するようになっている請求項１に記載の給湯システム。
【請求項３】
前記給湯器が差し水モードに設定されると、前記給湯器は、自動注水を開始した時点から、所定時間毎に、そのときの入水温度に応じた必要注水量を順次算出しながら、必要注水量を所定時間毎に修正するようになっている請求項１に記載の給湯システム。
【請求項４】
前記給湯器が差し水モードに設定されると、前記給湯器は、入水温度を監視しながら、単位時間当りの入水温度の変化量が、予め設定されている１次判定変化量を一旦上回った後、１次判定変化量より小さく設定されている２次判定変化量を下回った時点における入水温度に基づいて、必要注水量を算出するようになっている請求項１に記載の給湯システム。
【請求項５】
浴槽への自動お湯張り機能を有する主熱源としての給湯器と、補助熱源によって生成された予熱温水に、必要に応じて低温水を混合して前記給湯器に送出する、予熱温水と低温水との混合比率を任意に変更可能な給湯接続ユニットとを備え、
前記給湯器は、浴槽に自動注水することによって、浴槽に貯留された温水の温度を所定温度だけ低下させる差し水モードを有しており、
前記給湯器が差し水モードに設定されると、前記給湯器は浴槽への自動注水を開始すると共に、前記給湯接続ユニットは、予熱温水を混合することなく、前記給湯器への低温水の送出を開始し、浴槽への注水量が、前記給湯器が算出した必要注水量に到達した時点で、前記給湯器が浴槽への自動注水を停止するようになっている給湯システムにおいて、
前記給湯器が差し水モードに設定されると、前記給湯器は、前記給湯接続ユニットから送信される、前記給湯接続ユニットへの低温水の導入温度に基づいて、必要注水量を算出するようになっていることを特徴とする給湯システム。
【請求項６】
前記給湯接続ユニットは、前記給湯器の出湯時における前記給湯接続ユニットへの低温水の導入温度を記憶するようになっており、
前記給湯器が差し水モードに設定されると、その時点で前記給湯接続ユニットに記憶されている前記給湯接続ユニットへの低温水の導入温度が、前記給湯器に送信されるようになっている請求項５に記載の給湯システム。
【請求項７】
前記給湯接続ユニットは、前記給湯器の出湯時における前記給湯接続ユニットへの低温水の導入温度を前記給湯器に送信し、前記給湯器が前記給湯接続ユニットへの低温水の導入温度を記憶するようになっている請求項５に記載の給湯システム。
【発明の詳細な説明】
【０００１】
【発明の属する技術分野】
この発明は、浴槽への自動お湯張り機能を有する主熱源としての給湯器が、補助熱源によって生成された予熱温水を利用して給湯を行う給湯システム、特に、給湯器が、浴槽に自動注水することによって、浴槽に貯留された温水の温度を所定温度だけ低下させる、浴槽への差し水機能を有している給湯システムに関する。
【０００２】
【従来の技術】
補助熱源を利用した給湯システムとしては、例えば、補助熱源である太陽熱を利用して生成された予熱温水を貯留する蓄熱槽を備えている太陽熱利用温水器と、浴槽へ自動注湯を行った後、必要に応じて追い焚きを行うことによって、風呂設定温度の温水を浴槽に貯留する浴槽への自動お湯張り機能を備えている給湯器とを組み合わせた給湯システムが従来から知られている。
【０００３】
こういった、給湯システムでは、太陽熱を利用して生成された予熱温水を貯留する蓄熱槽を備えている太陽熱利用温水器と給湯器とが、給湯接続ユニットを介して接続されており、給湯時や浴槽への自動お湯張り時には、太陽熱利用温水器の蓄熱槽に貯留された予熱温水が給湯接続ユニットを介して給湯器に送出されるが、給湯接続ユニットは、蓄熱槽に貯留された予熱温水を単に給湯器に送出するだけではなく、必要に応じて、蓄熱槽から送出される予熱温水に低温水（常水温の水道水または予熱温水より低い温度の水）を混合した状態で、給湯器に送出することができるように、蓄熱槽から送出される予熱温水と低温水とを任意の混合比率で混合するための混合調節弁が搭載されている。
【０００４】
従って、自動お湯張りモードで浴槽へのお湯張りを行う際、給湯器に対して設定された風呂設定温度以上の予熱温水が蓄熱槽に貯留されている場合は、給湯接続ユニットの混合調節弁が、蓄熱槽から送出される風呂設定温度以上の予熱温水と低温水とを適宜混合することによって風呂設定温度の温水を生成し、熱交換器を加熱するバーナーを燃焼させることなく、浴槽への自動注湯が行われることになり、風呂設定温度以上の予熱温水が蓄熱槽に貯留されていない場合は、給湯接続ユニットの混合調節弁が、蓄熱槽から送出される風呂設定温度を下回る予熱温水と低温水とを適宜混合することによって、風呂設定温度より低い予め定められた所定温度の温水を熱交換器に送出しながら、熱交換器を加熱するバーナーを燃焼させることによって風呂設定温度の温水を生成し、これを浴槽に自動注湯することになる。
【０００５】
また、上述したような自動お湯張り機能を備えた給湯器には、浴槽に自動注水することによって、浴槽に貯留された温水の温度を所定温度だけ低下させる、浴槽への差し水機能を備えているものがあり、こういった給湯器が使用された給湯システムでは、給湯器が差し水モードに設定されると、給湯器は浴槽への自動注水を開始すると共に、給湯接続ユニットの混合調節弁は、予熱温水を混合することなく、低温水を給湯器に送出し始める。そして、浴槽への注水量が、給湯器が算出した必要注水量に到達した時点で、給湯器が浴槽への自動注水を停止するようになっている。
【０００６】
【特許文献１】
特開平０７−０７１８１５号公報
【０００７】
【発明が解決しようとする課題】
ところで、上述したような差し水機能を備えた給湯器では、熱交換器の入口側に設置された入水温度センサによって検出された出湯時（最低作動流量以上の温水が出湯された時）における入水温度が、注水温度Ｔｒとしてコントローラの記憶部に記憶されるようになっており、給湯器が差し水モードに設定された場合は、コントローラに記憶されている注水温度Ｔｒと、浴槽内の湯温（風呂設定温度Ｔｂ）及び貯湯量Ｖと、降下温度ΔＴ（例えば、１℃）とから、数１に示す演算式に従って、必要注水量Ｑが算出されることになる。
【０００８】
【数１】
2004293943.tif 000003
【０００９】
しかしながら、補助熱源である太陽熱利用温水器によって生成された予熱温水を利用して給湯や浴槽への自動お湯張りを行う給湯システムに使用された給湯器には、給湯器を単体で使用する場合のように、低温水が導入されるのではなく、給湯接続ユニットの混合調節弁から送出された給湯設定温度や風呂設定温度等の温水が導入されることになるので、給湯器のコントローラには、給湯接続ユニットに導入される低温水の温度より高い温度が注水温度Ｔｒとして記憶されることになり、差し水モードにおいて、必要注水量Ｑを算出する際、浴槽に実際に注水される低温水の温度より高い注水温度Ｔｒを使用していたのでは、適正な必要注水量Ｑを算出することができず、浴槽の湯温が必要以上に低下してしまうといった問題がある。
【００１０】
そこで、この発明の課題は、給湯器の差し水機能を適正に発揮させることができる給湯システムを提供することにある。
【００１１】
【課題を解決するための手段及びその効果】
上記の課題を解決するため、請求項１にかかる発明は、浴槽への自動お湯張り機能を有する主熱源としての給湯器と、補助熱源によって生成された予熱温水に、必要に応じて低温水を混合して前記給湯器に送出する、予熱温水と低温水との混合比率を任意に変更可能な給湯接続ユニットとを備え、前記給湯器は、浴槽に自動注水することによって、浴槽に貯留された温水の温度を所定温度だけ低下させる差し水モードを有しており、前記給湯器が差し水モードに設定されると、前記給湯器は浴槽への自動注水を開始すると共に、前記給湯接続ユニットは、予熱温水を混合することなく、前記給湯器への低温水の送出を開始し、浴槽への注水量が、前記給湯器が算出した必要注水量に到達した時点で、前記給湯器が浴槽への自動注水を停止するようになっている給湯システムにおいて、前記給湯器が差し水モードに設定されると、前記給湯器は、自動注水の開始以降に検出される、前記給湯器の入水温度に基づいて、必要注水量を算出するようになっていることを特徴とする給湯システムを提供するものである。
【００１２】
以上のように、この給湯システムでは、給湯器が差し水モードに設定されると、給湯器は、自動注水の開始以降に検出される給湯器の入水温度、即ち、浴槽への注水に実際に使用される低温水の温度に基づいて、必要注水量を算出するようになっているので、既に記憶されている出湯時における給湯器の入水温度に基づいて、必要注水量を算出するようになっているため、適正な必要注水量を算出することができない従来の給湯システムとは異なり、適正な必要注水量を確実に算出することができ、浴槽に貯留された温水の温度を所定温度だけ確実に低下させることができる。
【００１３】
ただし、浴槽への自動注水を開始した時点から即座に低温水が給湯器に導入されるわけではなく、自動注水を開始した直後は、給湯接続ユニットと給湯器とを接続している配管内に滞留している、低温水より温度の高い温水が給湯器に導入されるので、適正な必要注水量を確実に算出するためには、請求項２にかかる発明の給湯システムのように、前記給湯器が差し水モードに設定されると、前記給湯器は、自動注水を開始した時点から所定時間経過後に検出される入水温度に基づいて、必要注水量を算出するようにしたり、請求項３にかかる発明の給湯システムのように、前記給湯器が差し水モードに設定されると、前記給湯器は、自動注水を開始した時点から、所定時間毎に、そのときの入水温度に応じた必要注水量を順次算出しながら、必要注水量を所定時間毎に更新するようにしたり、請求項４にかかる発明の給湯システムのように、前記給湯器が差し水モードに設定されると、前記給湯器は、入水温度を監視しながら、単位時間当りの入水温度の変化量が、予め設定されている１次判定変化量を一旦上回った後、１次判定変化量より小さく設定されている２次判定変化量を下回った時点における入水温度に基づいて、必要注水量を算出するようにしておくことが望ましい。
【００１４】
また、上記の課題を解決するため、請求項５にかかる発明は、浴槽への自動お湯張り機能を有する主熱源としての給湯器と、補助熱源によって生成された予熱温水に、必要に応じて低温水を混合して前記給湯器に送出する、予熱温水と低温水との混合比率を任意に変更可能な給湯接続ユニットとを備え、前記給湯器は、浴槽に自動注水することによって、浴槽に貯留された温水の温度を所定温度だけ低下させる差し水モードを有しており、前記給湯器が差し水モードに設定されると、前記給湯器は浴槽への自動注水を開始すると共に、前記給湯接続ユニットは、予熱温水を混合することなく、前記給湯器への低温水の送出を開始し、浴槽への注水量が、前記給湯器が算出した必要注水量に到達した時点で、前記給湯器が浴槽への自動注水を停止するようになっている給湯システムにおいて、前記給湯器が差し水モードに設定されると、前記給湯器は、前記給湯接続ユニットから送信される、前記給湯接続ユニットへの低温水の導入温度に基づいて、必要注水量を算出するようになっていることを特徴とする給湯システムを提供するものである。
【００１５】
以上のように、この給湯システムでは、給湯器が差し水モードに設定されると、給湯器は、給湯接続ユニットから送信される、給湯接続ユニットへの低温水の導入温度、即ち、浴槽への注水に実際に使用される低温水の温度に基づいて、必要注水量を算出するようになっているので、従来の給湯システムとは異なり、適正な必要注水量を確実に算出することができ、浴槽への差し水動作が適正かつ確実に実行されることになる。
【００１６】
ただし、出湯停止時に検出された給湯接続ユニットへの低温水の導入温度、即ち、配管内に滞留している低温水の温度は、給湯接続ユニットに導入される予熱温水からの熱伝導によって昇温しているおそれがあるので、請求項６にかかる発明の給湯システムのように、前記給湯接続ユニットが、前記給湯器の出湯時における前記給湯接続ユニットへの低温水の導入温度を記憶するようになっており、前記給湯器が差し水モードに設定されると、その時点で前記給湯接続ユニットに記憶されている前記給湯接続ユニットへの低温水の導入温度を、前記給湯器に送信するようにしたり、請求項７にかかる発明の給湯システムのように、前記給湯接続ユニットが、前記給湯器の出湯時における前記給湯接続ユニットへの低温水の導入温度を前記給湯器に送信し、前記給湯器が前記給湯接続ユニットへの低温水の導入温度を記憶するようにしておくことが望ましい。
【００１７】
【発明の実施の形態】
以下、実施の形態について図面を参照して説明する。図１は、補助熱源として太陽熱を利用した給湯システム１の概略構成を示している。この給湯システム１は、同図に示すように、太陽熱利用温水器１０と、給湯機能に加えて浴槽への自動お湯張り機能を備えた風呂追焚機能付給湯器（以下、風呂給湯器という）３０とが給湯接続ユニット２０を介して接続されたものであり、太陽熱利用温水器１０によって生成された予熱温水が給湯接続ユニット２０を介して風呂給湯器３０に送出されるようになっている。
【００１８】
前記太陽熱利用温水器１０は、ソーラー集熱器１１と密閉式の蓄熱槽１４とを備えており、蓄熱槽１４には、その下端部に低温水を供給するための給水管１５が接続されていると共に、上端部には貯留された予熱温水を給湯接続ユニット２０に送出するための予熱温水供給管１６が接続されている。
【００１９】
前記ソーラー集熱器１１には、その入口側と出口側とを接続するソーラー配管１２によって熱媒体の循環経路が形成されており、このソーラー配管１２は、部分的に蓄熱槽１４内に導入された熱交換部１３を有している。従って、ソーラー集熱器１１によって加熱された熱媒体は、ソーラー配管１２を通って蓄熱槽１４内に導かれ、熱交換部１３で蓄熱槽１４内の水と熱交換を行うことで、蓄熱槽１４内に予熱温水が生成されるようになっている。
【００２０】
前記給湯接続ユニット２０は、同図に示すように、給水管２２を介して供給される低温水と、蓄熱槽１４から予熱温水供給管１６を介して供給される予熱温水とを、必要に応じて混合する混合調節弁２１を備えており、蓄熱槽１４から送出された予熱温水は、そのまま又は低温水と適宜混合された状態で混合調節弁２１の出口側に接続された温水配管２３を介して風呂給湯器３０に送出され、風呂給湯器３０の熱交換器３２を通って出湯されるようになっている。なお、混合調節弁２１は、全開状態で、蓄熱槽１４から予熱温水供給管１６を介して供給される予熱温水のみを風呂給湯器３０に送出し、逆に、全閉状態では、給水管２２を介して供給される低温水のみを風呂給湯器３０に送出するようになっている。
【００２１】
また、給湯接続ユニット２０には、給水管１５から分岐して混合調節弁２１の低温水入口側に接続された給水管２２と混合調節弁２１の温水出口側に接続された温水配管２３とを相互に接続するバイパス管２４が設けられており、このバイパス管２４には、通電状態でバイパス管２４の流路を遮断するダイヤフラム方式の電磁弁２５が設置されている。
【００２２】
また、混合調節弁２１に接続された予熱温水供給管１６、給水管２２及び温水配管２３には、蓄熱槽１４から送出される予熱温水の温度（以下、予熱温水温度という。）Ｔｓを検出するための予熱温水温度センサ２６、給湯接続ユニット２０に送出される低温水の温度（以下、低温水温度という。）Ｔｗを検出するための低温水温度センサ２７及び給湯接続ユニット２０から送出される温水の温度（以下、混合温水温度という。）Ｔｏを検出するための混合温水温度センサ２８がそれぞれ設置されている。
【００２３】
前記風呂給湯器３０は、給湯接続ユニット２０から送出される温水を必要に応じて加熱する熱交換器３２を有するメイン流路３１と、熱交換器３２をバイパスするように、メイン流路３１に接続されたバイパス流路３３とを備えており、メイン流路３１におけるバイパス流路３３の分岐部の上流側には、風呂給湯器３０に導入される湯水の温度（以下、入水温度という。）Ｔｉを検出するための入水温度センサ３４が設置されていると共に、メイン流路３１におけるバイパス流路３３の分岐部と合流部との間には、熱交換器３２を通過する湯水の流量を検出する流量センサ３５が設置されている。
【００２４】
また、バイパス流路３３には、熱交換器３２から送出される高温の温水に、給湯接続ユニット２０から送出される比較的低温の温水または低温水を適宜混合することによって給湯設定温度や風呂設定温度の温水を生成するための混合弁３６が設置されており、この混合弁３６は、風呂給湯器３０の運転スイッチがＯＦＦされているときは、全開状態で待機するようになっている。
【００２５】
前記給湯接続ユニット２０及び風呂給湯器３０には、シリアルインターフェースを介して相互に通信可能なコントローラ２０ａ、３０ａがそれぞれ搭載されていると共に、風呂給湯器３０の操作リモコン４０には、シリアルインターフェースを介して風呂給湯器３０のコントローラ３０ａと相互に通信可能なコントローラ４０ａが搭載されており、これらのコントローラ２０ａ、３０ａ、４０ａが相互に連携をとりながら、給湯システム１の運転動作を統括的に制御している。
【００２６】
給湯接続ユニット２０のコントローラ２０ａには、予熱温水温度センサ２６、低温水温度センサ２７及び混合温水温度センサ２８からの温度検出信号が入力されると共に、操作リモコン４０によって設定された給湯設定温度Ｔｅや風呂設定温度Ｔｂ及び運転スイッチ信号、バーナー燃焼信号、流量センサ３５によって検出された流量が最低作動流量以上のときにＯＮする水流信号等が風呂給湯器３０のコントローラ３０ａから送信されるようになっており、こういった水流信号、温度検出信号及び給湯設定温度Ｔｅや風呂設定温度Ｔｂに基づいて、給湯接続ユニット２０のコントローラ２０ａが混合調節弁２１を制御するようになっている。
【００２７】
蓄熱槽１４から送出される予熱温水の温度、即ち、予熱温水温度センサ２６によって検出された予熱温水温度Ｔｓが給湯設定温度Ｔｅまたは風呂設定温度Ｔｂ以上の場合は、風呂給湯器３０のバーナーを燃焼させなくても、低温水を適宜混合することによって給湯設定温度Ｔｅまたは風呂設定温度Ｔｂの温水を供給することができるので、給湯接続ユニット２０から送出される温水の温度、即ち、混合温水温度センサ２８によって検出される混合温水温度Ｔｏが給湯設定温度Ｔｅまたは風呂設定温度Ｔｂになるように、混合調節弁２１を制御する設定温度制御を行うようになっている。
【００２８】
一方、予熱温水温度Ｔｓが給湯設定温度Ｔｅまたは風呂設定温度Ｔｂより低い場合は、風呂給湯器３０のバーナーを燃焼させなければ、給湯設定温度Ｔｅまたは風呂設定温度Ｔｂの温水を供給することができないので、風呂給湯器３０のバーナーを燃焼させることによって、確実に給湯設定温度Ｔｅまたは風呂設定温度Ｔｂの温水を生成することができるように、給湯設定温度Ｔｅまたは風呂設定温度Ｔｂが６０℃以上、６０℃未満３５℃以上、３５℃未満に場合分けし、６０℃以上の場合は４５℃、６０℃未満３５℃以上の場合は３０℃、３５℃未満の場合は２５℃といった固定温度Ｔｆの温水がそれぞれ送出されるように、混合調節弁２１の開度を調整して低温水を混合する固定温度制御を行うようになっている。
【００２９】
また、前記風呂給湯器３０は、浴槽に自動注水することによって、浴槽に貯留された温水の温度を、風呂設定温度Ｔｂから所定の降下温度ΔＴ（例えば、１℃）だけ低下させる、浴槽への差し水機能を有しており、入浴者が、浴室に設置された操作リモコン４０の「ぬるく」スイッチをＯＮすることによって、風呂給湯器３０を差し水モードに設定すると、風呂給湯器３０が浴槽への自動注水を開始すると共に、給湯接続ユニット２０は、混合調節弁２１を全閉にすることで、予熱温水を混合することなく、低温水のみを風呂給湯器３０に送出し始め、浴槽への注水量が、風呂給湯器３０のコントローラ３０ａによって算出された必要注水量に到達した時点で、風呂給湯器３０による浴槽への自動注水が停止されるようになっている。
【００３０】
以下、風呂給湯器３０が差し水モードに設定された場合の給湯システム１の動作について、図２に示すフローチャートを参照しながら説明する。まず、操作リモコン４０の「ぬるく」スイッチがＯＮされたか否かを判断し（ステップＳ１）、「ぬるく」スイッチがＯＮされない場合は、「ぬるく」スイッチがＯＮされるまで待機する。
【００３１】
ステップＳ１において、「ぬるく」スイッチがＯＮされると、風呂給湯器３０のコントローラ３０ａは、予め定められている最大注水量（例えば、２０ｌ）をダミーの必要注水量として一旦設定した後（ステップＳ２）、浴槽への自動注水を開始する（ステップＳ３）。
【００３２】
続いて、浴槽への自動注水を開始した時点から、予め定められている所定時間（例えば、１０秒）が経過したか否かが判断され（ステップＳ４）、所定時間が経過していない場合は、所定時間が経過するまで自動注水を継続しながら待機する。なお、ここにいう「所定時間」は、給湯接続ユニット２０から送出される低温水が風呂給湯器３０に到達するまでの時間を僅かに超える時間に設定されている。
【００３３】
一方、ステップＳ４において、浴槽への自動注水を開始した時点から所定時間が経過すると、風呂給湯器３０のコントローラ３０ａは、その時点で入水温度センサ３４によって検出された入水温度Ｔｉを注水温度Ｔｒとし、この注水温度Ｔｒと、「ぬるく」スイッチがＯＮされた時点で、浴槽内の湯温（風呂設定温度Ｔｂ）及び貯湯量Ｖと、降下温度ΔＴとから、数１に示す演算式に従って、真の必要注水量Ｑを算出し（ステップＳ５）、ダミーの必要注水量を真の必要注水量に修正する。
【００３４】
その後、浴槽への実際の注水量が、修正された真の必要注水量に到達したか否かが判断され（ステップＳ６）、実際の注水量が真の必要注水量に到達していない場合は、浴槽への自動注水が継続されるが、実際の注水量が真の必要注水量に到達すると、浴槽への自動注水が停止されると共に「ぬるく」スイッチがＯＦＦされ、差し水モードが解除される（ステップＳ７）。
【００３５】
以上のように、この給湯システム１では、操作リモコン４０によって風呂給湯器３０が差し水モードに設定されると、風呂給湯器３０は、浴槽への自動注水をとりあえず開始し、自動注水の開始から所定時間が経過した時点で、入水温度センサ３４によって検出された入水温度Ｔｉ、即ち、給湯接続ユニット２０から風呂給湯器３０に導入される低温水の温度を注水温度Ｔｒとして、必要注水量Ｑを算出するようになっているので、浴槽に貯留された温水の温度を、降下温度ΔＴ分だけ確実に低下させることができる。
【００３６】
なお、上述した実施形態では、自動注水の開始から所定時間が経過した時点で検出された風呂給湯器３０への入水温度Ｔｉを注水温度Ｔｒとして、必要注水量Ｑを算出しているが、これに限定されるものではなく、例えば、風呂給湯器が差し水モードに設定されると、風呂給湯器３０のコントローラ３０ａが、浴槽への自動注水を開始した時点から、所定時間（例えば、１秒）毎に、そのときに検出される風呂給湯器３０への入水温度Ｔｉに応じた必要注水量Ｑを順次算出しながら、以前に算出された必要注水量Ｑを所定時間毎に修正するようにしたり、風呂給湯器３０が差し水モードに設定されると、風呂給湯器３０のコントローラ３０ａが、風呂給湯器３０への入水温度Ｔｉを監視しながら、単位時間当りの入水温度Ｔｉの変化量が、予め設定されている１次判定変化量を一旦上回った後、１次判定変化量より小さく設定されている２次判定変化量を下回った時点における入水温度Ｔｉに基づいて、必要注水量Ｑを算出するようにしておくことも可能である。
【００３７】
前者の場合、浴槽への注水開始直後は、給湯接続ユニット２０と風呂給湯器３０とを接続している温水配管２３内に滞留している温水が風呂給湯器３０に導入されるので、入水温度センサ３４によって検出される入水温度Ｔｉが低温水の温度より高く、これに伴って、必要注水量Ｑも過大に算出されるが、風呂給湯器３０への入水温度Ｔｉが低下するに従って、算出される必要注水量Ｑが真の必要注水量Ｑに近づいていき、給湯接続ユニット２０から風呂給湯器３０に低温水が安定して導入され始めると、真の必要注水量Ｑが算出されることになるので、浴槽に真の必要注水量Ｑを確実に注水することができる。
【００３８】
また、後者の場合は、例えば、１次判定変化量を３℃程度、２次判定変化量を１℃程度に設定しておくことによって、低温水が風呂給湯器３０に実際に導入されるタイミングを検出することができるので、給湯接続ユニット２０と風呂給湯器３０とを接続している温水配管２３の長さに影響を受けることなく、風呂給湯器３０に導入される低温水の温度を入水温度Ｔｉとして確実に検出することができる。
【００３９】
また、上述した各実施形態では、入水温度センサ３４によって検出された風呂給湯器３０への入水温度Ｔｉを注水温度Ｔｒとして、必要注水量Ｑを算出しているが、これに限定されるものではなく、風呂給湯器３０のコントローラ３０ａが、給湯接続ユニット２０のコントローラ２０ａから送信される、給湯接続ユニット２０への低温水の導入温度、即ち、低温水温度センサ２７によって検出される低温水温度Ｔｗを注水温度Ｔｒとして、必要注水量Ｑを算出するようにしておくことも可能である。
【００４０】
ただし、出湯停止時に検出された給湯接続ユニット２０への低温水の導入温度、即ち、給水管２２内に滞留している低温水の温度は、予熱温水供給管１６内に滞留している予熱温水からの熱伝導によって昇温しているおそれがあるので、例えば、給湯接続ユニット２０のコントローラ２０ａが、風呂給湯器３０の出湯時（風呂給湯器３０の水流信号ＯＮ時）における給湯接続ユニット２０への低温水の導入温度（低温水温度Ｔｗ）を記憶しておき、風呂給湯器３０が差し水モードに設定されると、その時点でコントローラ２０ａに記憶されている給湯接続ユニット２０への低温水の導入温度（低温水温度Ｔｗ）を、風呂給湯器３０のコントローラ３０ａに送信するようにしたり、給湯接続ユニット２０のコントローラ２０ａが、風呂給湯器３０の出湯時（風呂給湯器３０の水流信号ＯＮ時）における給湯接続ユニット２０への低温水の導入温度（低温水温度Ｔｗ）を風呂給湯器３０のコントローラ３０ａにその都度送信し、コントローラ３０ａが給湯接続ユニット２０への低温水の導入温度（低温水温度Ｔｗ）を記憶するようにしておくことが望ましい。
【００４１】
また、上述した各実施形態では、補助熱源が太陽熱である給湯システムについて説明したが、補助熱源はこういった太陽熱に限定されるものではなく、例えば、コージェネレーションシステムにおけるガスエンジンやガスタービンの排熱を補助熱源とした給湯システムのように、種々の補助熱源を使用した給湯システムについて、本発明を適用することができることはいうまでもない。
【図面の簡単な説明】
【図１】この発明にかかる給湯システムの一実施形態を示す概略構成図である。
【図２】風呂給湯器が差し水モードに設定された場合における同上の給湯システムの動作を示すフローチャートである。
【符号の説明】
１  給湯システム
１０  太陽熱利用温水器
１４  蓄熱槽
１５  給水管
１６  予熱温水供給管
２０  給湯接続ユニット
２０ａ  コントローラ
２１  混合調節弁
２２  給水管
２３  温水配管
２４  バイパス管
２５  電磁弁
２６  予熱温水温度センサ
２７  低温水温度センサ
２８  混合温水温度センサ
３０  風呂追焚機能付給湯器
３０ａ  コントローラ
３１  メイン流路
３２  熱交換器
３３  バイパス流路
３４  入水温度センサ
３５  流量センサ
３６  混合弁
４０  操作リモコン
４０ａ  コントローラ
【図１】
2004293943.tif 000004
【図２】
2004293943.tif 000005